(57)【特許請求の範囲】
【請求項１】
コインの送り出し装置(A)と、前記送り出し装置(A)から送り出されたコインを出口(136)に向かって案内するコイン通路(B)と、前記コイン通路(B)に配置され、前記コイン通路に滞留する前記送り出されたコインによって所定位置に保持される検知体(C)と、前記検知体の位置に基づいて前記コイン通路に達する前に前記送り出し装置によって送り出されるコインを前記送り出し装置側へ方向転換させるコインの方向転換装置(D)を有するコインホッパ。
【請求項２】
前記検知体(C)がコイン通路(B)に突出するよう力を付与されたレバー(11)である請求項１のコインホッパ。
【請求項３】
前記方向転換装置(D)は、前記検知体(C)が所定時間を超えてコインを検知した場合、前記検知体(C)よりも上流のコイン搬送通路(Ｅ)に移動する方向転換体(23)を有する請求項１のコインホッパ。
【請求項４】
前記方向転換装置(D)は、前記レバー(11)に連動して検知体(Ｃ)の上流側のコイン通路(B)に突出するストッパ(11U)と、前記ストッパ(11U)の近傍の前記コイン通路(B)に連なる通路(B2)に配置した被動レバー(29)と、前記被動レバー(29)によりコイン搬送通路(E)に突出する方向転換体(23)と、を有する請求項３のコインホッパ。
【発明の詳細な説明】
【０００１】
【発明が属する技術分野】
本発明は、コインを１個ずつ区分けして放出するコインホッパに関する。
なお、本明細書で使用する「コイン」は、通貨であるコインの他、ゲーム機のメダルやトークン等の代用貨幣または類似のものをも包含する。
【０００２】
【従来の技術】
コインホッパは、例えば図６に図示するゲーム機に内蔵される。
１０１は内蔵されたコインホッパである。
１０２はコインの放出口である。
１０３はコイン投入口である。
コインホッパ１０１は、例えば米国特許第４５８９４３３号に開示のものと同様である。
【０００３】
コインホッパ１０１の概要を、図７を参照して説明する。
水平配置されるベース１１０に固定されたフレーム１１１に約６０度の角度で取り付けられたほぼ円板形のホッパベース１１２を有する。
ホッパベース１１２の裏面側にはモーター１１３が固定されている。
ホッパベース１１２の表面側にコイン送り出し装置Ａを構成する回転ディスク１１４が配置されている。
【０００４】
回転ディスク１１４は、前記モーター１１３から図示しない減速機を介して回転駆動される。
回転ディスク１１４の周縁部は段１１５を形成してリング状のコイン載置面１１６を形成してある。
コイン載置面１１６には所定間隔でピン１１７が固定してある。
１１８は回転ディスク１１４の外周を囲うようにホッパベース１１２に固定した円筒状のホッパリングである。
１１９はホッパリング１１８に開口端をあてがって取り付けたバケツ状のコインボウルである。
コインボウル１１９の上側側壁にコイン投入開口１２０が形成してある。
【０００５】
１２１は受け取りナイフであって、基部をホッパベース１１２に固定してある。
ナイフ１２１の先端部は、段１１５に近接している。
１３０はコインカウンタであり、ホッパベース１１２に固定した固定軸１３１と、固定軸１３１に中間を揺動自在に取り付けたレバー１３２と、ナイフ１２１に相対してレバー１３２の先端部に取り付けたカウントローラ１３３と、レバー１３２の所定位置までの回動を検知するカウントセンサ（図示せず）とよりなっている。
前記ナイフ１２１の基部にはガイド板１３４が被せてある。
【０００６】
レバー１３２は、図示しないスプリングにより反時計回り方向に回転力を付与されている。
ホッパベース１１２と、ガイド板１３４と、ナイフ１２１基部上面とでコイン通路１３５を構成している。
コイン通路１３５の端面がコイン出口１３６になっている。
【０００７】
次にゲーム機１００におけるコインの流れを説明する。
プレイヤーは、コイン投入口１０３にコインを投入してゲームを行う。
投入されたコインは、図示しないダクトにより案内されてコイン投入開口１２０からコインボウル１１９に入る。
プレイにより当選すると、ゲーム機１００の制御回路（図示せず）はコインの払い出し信号を出力する。
【０００８】
ゲーム機１００の制御回路からコインの払い出し信号を受けるとコインホッパ１０１のモーター１１３が回転される。
モーター１１３の回転により回転ディスク１１４が図７において反時計回り方向に回転される。
回転ディスク１１４の回転により、コインボウル１１９内のコインは撹拌され、姿勢が変化する。
【０００９】
前記姿勢変化によりコイン載置面１１６に側面が面接したコインは、ピン１１７に係止される。
係止されたコインは、段１１５により周面を支えられつつ回転ディスク１１４に連行される。
ナイフ１２１に到達するとコインは、ナイフ１２１によりすくい上げられる。
【００１０】
この後コインは、ナイフ１２１の上縁に支えられつつピン１１７によりコイン通路１３５側に押し出される。
この途上でコインは、カウントローラ１３３を押し上げて通過する。
カウントローラ１３３の押し上げによりレバー１３２は時計回り方向に回転されるので、図示しないカウントセンサにより検知される。
カウントセンサは、放出コイン数「１」を意味するカウント信号を出力する。
【００１１】
カウント信号を受けたゲーム機１００の制御回路は、放出所定数になった場合、放出を終了するため、モーター１１３の回転を停止する。
カウントローラ１３３を通過したコインは、コイン通路１３５に押し出され、コイン出口１３６から放出される。
放出されたコインは、ダクトを通ってコイン払い出し口１０２に達する。
【００１２】
最近、放出口１０２から手を挿入してコイン出口１３６を塞ぐことにより不正を行う者がいる。
すなわち、出口１３６がふさがれた場合、コイン通路１３５にコインが多数詰め込まれてコイン自身で栓をした状態になる。
【００１３】
このため、モーター１１３は、過負荷になるので過電流が検出されて自動的に停止される。
あるいは、コインカウンタ１３０からカウント信号が所定時間発信されないので、ゲーム機１００の制御回路が異常処理を行ってモーター１１３を停止する。不正者は、放出されるべきコイン数に満たないとしてクレームを付けることにより、余分にコインを入手する手口である。
【００１４】
【発明が解決しようとする課題】
本発明は、コインホッパのコイン出口を塞がれたことを早期に確実に検知することにより、前記のような不正を防止することを目的とする。
詳しくは、コイン出口を塞がれたことを検知してその後に続くコインの供給を行わないようにすることを目的とする。
さらに詳しくは、コイン出口を塞がれたことを検知してその後に続くコインの供給を行わない簡単な機構を提供することを目的とする。
【００１５】
【課題を解決するための手段】
この目的を達成するため本発明のコインホッパは、以下のように構成されている。前記送り出し装置(A)から送り出されたコインを出口(136)に向かって案内するコイン通路(B)と、前記コイン通路(B)に配置され、前記コイン通路に滞留する前記送り出されたコインによって所定位置に保持される検知体(C)と、前記検知体の位置に基づいて前記コイン通路に達する前に前記送り出し装置によって送り出されるコインを前記送り出し装置側へ方向転換させるコインの方向転換装置(D)を有するコインホッパである。
【００１６】
この構成によれば、コイン通路が異常になった場合、検知体によって検知される。この検知に基づいてコインの方向転換装置がコインをコインの送り出し装置側へ方向転換させる。よって、その後に続くコインの供給を行わない。
【００１７】
本発明は、前記検知体(Ｃ)がコイン通路(Ｂ)に突出するよう力を付与されたレバー(１１)であることが好ましい。
この構成によれば、検知体(Ｃ)がレバー(１１)であるため、直接コインにより移動されるので、摩耗粉などの影響を受けずにコインを検知できるので正確な検知ができる。
【００１８】
また本発明は、前記方向転換装置(D)は、前記検知体(C)が所定時間を超えてコインを検知した場合、前記検知体(C)よりも上流のコイン搬送通路(Ｅ)に移動する方向転換体(23)を有することが好ましい。この構成によれば、検知体(Ｃ)がコインの所定時間以上の滞留を検知した場合、方向転換体(23)がコインの進行方向を転換してコイン通路(Ｂ)に供給されないようにしている。よって、コインが出口(136)に供給されないので、異常状態でのコインの放出数を極めて少なくできる。
【００１９】
また本発明は、前記方向転換装置(Ｄ)は、前記レバー(１１)に連動して検知体(Ｃ)の上流側のコイン通路(Ｂ)に突出するストッパ(１１Ｕ)と、前記ストッパ(１１Ｕ)の近傍の前記コイン通路(Ｂ)に連なる通路(Ｂ２)に配置した被動レバー(２９)と、前記被動レバー(２９)によりコイン搬送通路(Ｅ)に突出する方向転換体(２３)と、を有することが好ましい。
この構成により、方向転換装置(Ｄ)が機械的な簡単な構成であるので安価に製作できる。
【００２０】
【発明の実施の形態】
図１は実施例のコインボウルを外した状態の斜視図。
図２は実施例の正常状態の部分正面図。
図３は実施例の正常状態の部分斜視図。
図４は実施例のコイン通路の説明図（カバーを除去）。
図５は実施例の異常状態の説明図（カバーを除去）。
【００２１】
従来技術と同一部には同一符号を付し、異なる構成を説明する。
図１は、コインボウル１１９を取り外した状態のコインホッパ１０１を右斜め上方から見た斜視図である。
コインの送り出し装置Ａは、従来装置と同じく回転ディスク１１４とピン１１７で構成してある。
【００２２】
次に図２、図３、図４を参照してコイン通路Ｂを説明する。
コイン通路Ｂは、ホッパベース１１２と、下側案内体２と、上側案内体３と、カバー４とにより、構成されている。
コイン通路Ｂは、左下がりに傾斜している。
【００２３】
次に、下側案内体２の構造を説明する。
図３に示すように、平板状カバー４の下縁部を回転ディスク１１４及びホッパベース１１２側に直角に折り曲げて下側案内体２を形成している。
この折り曲げ量は、コインの厚みよりも僅かに大きい程度である。すなわち、コイン１枚の厚みよりも大きく、２枚の厚みよりも小さい。
【００２４】
下側案内体２は、載置面１１６に相対する第１案内片２Ｘと、ホッパベース１１２に相対する誘導片２Ｙと、ホッパベース１１２に相対する検知案内片２Ｚとを有する。（図４では、便宜上一点鎖線にて図示）
第１案内片２Ｘは、第１分割案内片２Ｘ１と第２分割案内片２Ｘ２に分割されている。
第１分割案内片２Ｘ１と第２分割案内片２Ｘ２は、ナイフ１２１の上面に対しコイン出口１３６側に下降する直線上に位置している。
第１分割案内片２Ｘ１と第２分割案内片２Ｘ２との間隙は、ピン１１７が通過するための通路２Ｓである。
【００２５】
第１分割案内片２Ｘ１と第２分割案内片２Ｘ２との上面が、ナイフ１２１の先端上面１２１Ｓにほぼ連続する直線状かつ左下がり斜面の第１案内部２Ａである。
誘導片２Ｙの上面が、直線状かつ第１案内面２Ａよりも傾斜角度が大きい左下がり斜面の誘導部２Ｂである。
検知案内片２Ｚの上面が、直線状かつ第１案内部２Ａよりも僅かに傾斜角度が大きい左下がり斜面の検知案内部２Ｃである。
【００２６】
誘導部２Ｂが最も傾斜角度が大きく、その延長線は、検知案内部２Ｃと交差する。
第１案内部２Ａと検知案内部２Ｃとの間には高さＨ１の段差６がある。
この実施例のように、カバー４の下縁部を折り曲げて第１案内部２Ａ、誘導部２Ｂ、検知案内部２Ｃを形成した場合、平板をプレス加工することで成形できるので安価に製作することができる。
【００２７】
上側案内体３の厚みは、前記下側案内体２折り曲げ量と同一である。
すなわち、コイン１枚の厚みよりも大きく、２枚よりは小さい。
上側案内体３は、第１案内部２Ａに相対し、かつ、全体として第１案内部２Ａよりも傾斜角度が僅かに大きく、かつ、第１案内部２Ａの反対側に僅かに凹状をなす第２案内部３Ａと、誘導部２Ｂに相対位置する凹状の凹状案内部３Ｂと、検知案内部２Ｃに相対し、かつ、凹状案内部３Ｂに連続する検知案内部２Ｃよりも傾斜角度が大きい第３案内部３Ｃと、第３案内部３Ｃに連続し検知案内部２Ｃとほぼ平行な斜面の第４案内部３Ｄとが形成してある。
【００２８】
したがって、コイン通路Ｂは、第１案内部２Ａと第２案内部３Ａにより上下を区画された台形状の導入通路Ｂ１と、誘導部２Ｂと凹状案内部３Ｂにより上下を区画され他の部位よりも拡高されている駆動通路Ｂ２と、検知案内部２Ｃと第３案内部３Ｃとにより上下を区画された台形状の第３通路Ｂ３と、検知案内部２Ｃと第４案内部３Ｄとにより上下を区画された出口通路Ｂ４とより構成されている。
【００２９】
出口通路Ｂ４の開放端面が、コイン出口１３６である。
コイン通路Ｂは、全体としてコイン出口１３６に向かって左下がりに下降し、凹状案内部３Ｂによってその中間から上方に向かう分岐通路が構成されたｙ字状を呈している。
この通路Ｂの厚みは、コインが二枚重ならない寸法である。
【００３０】
次に図２、３を参照して検知体Ｃの構成を説明する。
カバー４からコイン通路Ｂと反対側に間隔を開けて突出するブラケット４Ａと４Ｂに固定した軸１０に回転自在に検知レバー１１を取り付けてある。
この検知レバー１１は、細長い板状体の中間部の両側からカバー４側へ折り曲げられた舌状の軸受部１３Ａ、１３Ｂが前記軸１０に回転自在に取り付けてある。
【００３１】
図５において明らかなように、レバー１１は、第３通路Ｂ３に沿って配置されている。
レバー１１の下端部１１Ｌは、カバー４側に折り曲げられ、カバー４の検知開口４Ｈから第３通路Ｂ３及び出口通路Ｂ４に進入可能である。
検知レバー１１の上端部にホッパベース１１２側に直角に折り曲げられたストッパ１１Ｕが形成されている。
このストッパ１１Ｕは、カバー４のストッパ開口４Ｓから駆動通路Ｂ２に進入可能である。
【００３２】
圧縮スプリング１５は、カバー４と検知レバー１１との間に配置し、レバー１１に対し図３において時計回り方向の回転力を付与している。
したがって、常態において検知レバー１１の下端部１１Ｌは検知開口４Ｈから第３通路Ｂ３及び出口通路Ｂ４に進出し、ホッパベース１１２に突き当たって静止している。
この下端部１１Ｌの位置は、検知案内部２Ｃ上を転がるコインの中心部が通過する位置である。
このとき、ストッパ１１Ｕは駆動通路Ｂ２から退避している。
この実施例の検知体Ｃは、検知レバー１１の下端部１１Ｌである。
【００３３】
次に図２、３を参照して方向転換装置Ｄの構成を説明する。
検知開口４Ｈの上方のカバー４に固定軸２０が固定してある。
固定軸２０に方向転換レバー２１の基部が回転自在に取り付けてある。
方向転換レバー２１は、板材により形成されている。
この方向転換レバー２１の基部は断面チャンネル状に形成され、それら側壁２１Ａ、２１Ｂを固定軸２０にとりつけてある。
【００３４】
方向転換レバー２１の先端部は、カウントローラ１３３よりも回転ディスク１１４の上流側に位置し、下向き三角形状に形成してある。
この三角形状部が方向転換体２３であり、回転ディスク１１４の表面を含む平面から遠ざかる方向の押し上げ斜面２３Ｓを有している。
【００３５】
この方向転換体２３が時計回り方向に回転してカバー４から突出している規制片４Ｃに回転を阻止された場合、三角形の先端がコイン搬送通路Ｅに進入して回転ディスク１１４の外周縁に近接した位置になる。
コイン搬送通路Ｅは、回転ディスク１１４によって搬送されるコインの通路である。
この位置において押し上げ斜面２３Ｓは、コイン載置面１１６から離れるよう位置する。
【００３６】
固定軸２０よりも上位のカバー４に固定した第３の軸２７に被動レバー２９が回転自在に取り付けてある。
被動レバー２９の固定軸２０側の端部は、ホッパベース１１２側に折り曲げて被動片２９Ａを形成し、カバー４の開口４Ｊから挿入して駆動通路Ｂ２に配置してある。
ピン３１が被動レバー２９の他側に固定してある。
このピン３１は、方向転換レバー２１の中間に回転自在に取り付けてある。
第３の軸２７にはブッシュ３３が嵌め込んである。
【００３７】
側壁２１Ａと２１Ｂに挟まれた固定軸２０に弦巻バネ３５を巻き付け、一端をカバー４から突出するストッパ４Ｄに引っかけ、他端を方向転換レバー２１に引っかけることにより、方向転換レバー２１に図２、３において反時計回り方向に回転力を付与している。
【００３８】
カバー４は上部に上側案内体３を挟んで断面クランク状の板状のサポート４０をスクリュウ４１で固定して一体化してある。
この組立体をホッパベース１１２に上方から被せ、スクリュウ４２でホッパベース１１２に固定することにより、コイン載置面１１６に続くコイン通路Ｂを構成している。
【００３９】
次にこの実施例の作用を説明する。
正常にコインホッパ１０１が作動している場合を、図２を参照して説明する。方向転換レバー２１は、弦巻スプリング３５により、反時計回り方向に回転されブッシュ３３に突き当たって静止している。
【００４０】
このとき、方向転換体２３の先端は、回転ディスク１１４から離れた位置にあって、コインが移動しても何ら関与しない。
この方向転換レバー２１の回転により、ピン３１を介して被動レバー２９が反時計回り方向に回転され、被動片２９Ａが開口４Ｊの下縁近傍に位置している。
【００４１】
この状態において被動片２９Ａは、誘導部２Ｂに案内されるコインと接触しない。
検知レバー１１は、圧縮スプリング１５のスプリング力により下端部１１Ｌが第３通路Ｂ３及び出口通路Ｂ４のホッパベース１１２に突き当たって静止している。
【００４２】
この状態において、回転ディスク１１４の回転により搬送されてきたコインは、ナイフ１２１の先端上面１２１Ｓによりすくわれる。
すくわれた後、コインは、先端上面１２１Ｓ上をピン１１７に押されて図で左方へ移動する。
この移動過程でコインは、方向転換体２３の先端が所定距離離れているのでその下方（図で上下方向）を通過する。
【００４３】
その後、コインは、ピン１１７に更に押されて先端上面１２１Ｓから第１案内部２Ａの第１分割案内片２Ｘ１に移動する。
この移動過程において、コインは、カウントローラ１３３を押し上げて通過する。
このカウントローラ１３３の押し上げを図示しないセンサで検知し、コインのカウント信号を得る。
【００４４】
この後、コインは、第２分割案内片２Ｘ２上を転がり、導入通路Ｂ１を通過する。
なお、導入通路Ｂ１は、コインの進行方向上流側の上下間隔が広い台形状に形成されている。
これにより、コインがカウントローラ１３３によりホップされても、第２案内部３Ａにより誘導して確実に導入通路Ｂ１に導くことができる。
次に、誘導部２Ｂ上を転がって駆動通路Ｂ２及び第３通路Ｂ３を通過する。
【００４５】
次に、コインは検知案内部２Ｃ上を転がり、出口通路Ｂ４を経てコイン出口１３６から放出される。
コインがこの第３通路Ｂ３から出口通路Ｂ４を通過するとき、検知レバー１１の下端部１１Ｌを圧縮スプリング１５のスプリング力に反してホッパベース１１２から押し上げて通過する。
コインが通過した後、検知レバー１１は圧縮スプリング１５により回転されて再びホッパベース１１２に突き当たって静止状態になる。
【００４６】
次に、不正者がコイン出口１３６を手で塞いだ異常状態の作用を、図５を参照して説明する。
コイン出口１３６が塞がれると、先ず最初の一番コインＺ１が第３通路Ｂ３及び出口通路Ｂ４に跨って滞留する。
これにより、検知レバー１１の下端部１１Ｌは一番コインＺ１によりホッパベース１１２から離され、押し上げられる。
この押し上げにより検知レバー１１は、軸１０を中心に図３において反時計回り方向に回転される。
【００４７】
この回転により、ストッパ１１Ｕは駆動通路Ｂ２に突出する。
次に送り出された二番コインＺ２は、ストッパ１１Ｕに進行を阻止されて第２分割案内片２Ｘ２に下周面が接した状態で導入通路Ｂ１と駆動通路Ｂ２に跨って滞留する。（図５において、コインＺ３の位置）
次に送り出された三番コインＺ３は、第１分割案内片２Ｘ１上を転がって前位の二番コインＺ２に進行を阻止され、導入通路Ｂ１に滞留する。（図５において、コインＺ４の位置）
この後、ピン１１７は三番コインＺ３を僅かに第２案内部３Ａ側に押し上げて三番コインＺ３の下側を通過する。
このとき二番コインＺ２は移動されない。
【００４８】
次に四番コインＺ４が、ピン１１７に押されて先端上面１２１Ｓから第１分割案内片２Ｘ１に移動する。
四番コインＺ４は、三番コインＺ３を図５で左方に押す。
三番コインＺ３は、第２案内部３Ａに案内されつつコインＺ２を左方に押す。
これにより、二番コインＺ２にはストッパ１１Ｕとの接点から中心に向かってストッパ１１Ｕの反力Ｆ１が作用する。
【００４９】
また、二番コインＺ２には、三番コインＺ３との接点から中心に向かう押し力Ｆ２が作用する。
これら力Ｆ１とＦ２とによって凹状案内部３Ｂに向かう合力Ｆ３が生じるので、この合力Ｆ３によって二番コインＺ２は凹状案内部３Ｂに向かって押し出される。
この移動により二番コインＺ２は、被動片２９Ａを押し上げる。（図５の状態）
【００５０】
これにより、被動レバー２９は時計回り方向に回転される。
この回転により、ピン３１を押し下げ、方向転換レバー２１を時計回り方向に規制片４Ｃに阻止されるまで回転させる。
この回転により、方向転換体２３の先端部をコイン載置面１１６に近接した方向転換位置に静止させる。
【００５１】
二番コインＺ２は、三番コインＺ３と凹部案内部３Ｂと被動片２９Ａとにより図５の状態で安定状態になる。
これにより、被動レバー２９、したがって方向転換レバー２１は前記状態（図５の状態）を継続する。
【００５２】
四番コインは、二番コインＺ２の凹状案内部３Ｂ側への移動により、第１分割案内片２Ｘ１上に移動する。
その後、ピン１１７は更に四番コインＺ４を押す。
しかし、四番コインＺ４が第２案内部３Ａの凹部に僅かに移動することによりピン１１７が四番コインの下側を通過するので、回転ディスク１１４は回転を続ける。
【００５３】
方向転換体２３が方向転換位置にある場合、コイン載置面１１６に乗ってピン１１７に押されてきたコイン搬送通路Ｅのコインは、押し上げ斜面２３Ｓに係合する。
したがって、コインの上端部は押し上げ斜面２３Ｓによってコイン載置面１１６から離され、コインボウル１１９側へ起こされる。
これにより、コインはナイフ先端上面１２１Ｓから落下し、カウントローラ１３３に到達することがない。
【００５４】
したがって、コイン出口１３６を塞がれてもコインがコイン通路Ｂで詰まることがない。
また、この実施例は４個以上コインの放出を行わないので不正者の不正心をそそらない効果がある。
さらに、コインカウンタ１３０のカウント数とコイン通路Ｂに送り出されたコイン数とは一致している。
【００５５】
なお、本発明は各種の変更が可能である。
例えば、コイン送り出し装置は、コイン通過孔を有する回転ディスクであってもよい。
また、検知レバー１１が所定時間以上押し上げられていることを電気的に判別してコイン送り出し装置を停止するようにしてもよい。
【００５６】
さらに、凹状案内部３Ｂに押し上げられたコインを検知するようにしてもよい。
さらにまた、検知レバー１１や被動レバー２９の移動を光学的に検出してもよい。
また、警報ランプの点灯、警報ブザーの発音と組み合わせても良い。
【００５７】
【図面の簡単な説明】
【図１】図１は実施例のコインボウルを外した状態の斜視図
【図２】図２は実施例の部分正面図
【図３】図３は実施例の部分斜視図
【図４】図４は実施例のコイン通路のカバーを外した状態の説明図
【図５】図５は実施例のコイン通路のカバーを外した状態の異常状態の説明図
【図６】図６は、コインホッパが内蔵されるゲーム機の斜視図
【図７】図７は、従来のコインホッパの概要斜視図
【００５８】
【符号の説明】
送り出し装置        Ａ
コイン通路          Ｂ
駆動通路            Ｂ２
検知体              Ｃ
方向転換装置        Ｄ
誘導部              ２Ｂ
検知案内部          ２Ｃ
レバー              １１
ストッパ            １１Ｕ
方向転換体          ２３
被動レバー          ２９
コイン出口          １３６
【図１】
0004300447.tif 000002
【図２】
0004300447.tif 000003
【図３】
0004300447.tif 000004
【図４】
0004300447.tif 000005
【図５】
0004300447.tif 000006
【図６】
0004300447.tif 000007
【図７】
0004300447.tif 000008